(57)【要約】【課題】残像現象を利用して空間に画像を表示させる際に、スイング動作の速度に寄らず、画像を適切に表示させる。【解決手段】表示装置は、筐体１０に配置された複数のＬＥＤ２、２、・・・と、画像の表示パターンを記憶する記憶部１３と、表示パターンに基づきＬＥＤ２、２、・・・の点滅を制御する制御部１４とを備える。制御部１４は、表示装置１をスイング動作させた際のスイング速度に応じて、ＬＥＤ２、２、・・・の点滅を制御する。スイング速度は、表示装置１が振り始め位置から振り始め位置に戻るまでの１サイクル時間から判断することができる。制御部１４は、１サイクル時間を計測し、計測された１サイクル時間に基づき、複数のＬＥＤ２、２、・・・の点滅時間を算出し、算出された点滅時間でＬＥＤ２、２、・・・を点滅させる。【選択図】図１
2012163807.tif 000002
【特許請求の範囲】
【請求項１】
スイング動作の際に、残像現象を利用して空間に画像を表示させる表示装置であって、
複数の発光素子と、
画像の表示パターンを記憶する記憶部と、
前記表示パターンに基づき前記複数の発光素子の点滅を制御する制御部とを備え、
前記制御部は、スイング速度に応じて前記複数の発光素子の点滅を制御することを特徴とする表示装置。
【請求項２】
前記制御部は、スイング動作における振り始め位置から該振り始め位置に戻るまでの１サイクル時間に基づき前記スイング速度を判断することを特徴とする請求項１に記載の表示装置。
【請求項３】
前記制御部は、
前記１サイクル時間を計測し、
前記計測された１サイクル時間に基づき、前記複数の発光素子の点滅時間を算出し、
前記算出された点滅時間で前記複数の発光素子を点滅させることを特徴とする請求項２に記載の表示装置。
【請求項４】
前記制御部は、
前記計測された１サイクル時間を前記記憶部に記憶させ、
前記記憶部に記憶された前回の１サイクル時間に基づき、次回のスイング動作の際の前記複数の発光素子の点滅を制御することを特徴とする請求項３に記載の表示装置。
【請求項５】
前記筐体の位置を検出する検出部と、
時間をカウントするタイマとをさらに備え、
前記制御部は、
前記スイング動作が反転した振り戻し動作の間に、前記検出部により検出された、前記筐体が垂直となる地点から前記タイマによるカウントを開始させ、
前記タイマによるカウント値が前記１サイクル時間の１／４となる時間となった場合に、前記複数の発光素子の点滅を開始することを特徴とする請求項２、３又は４に記載の表示装置。
【請求項６】
前記制御部は、
前記振り始め位置から、前記スイング動作が反転する振り戻し開始位置に達するまでの間に、前記複数の表示素子の点滅を制御することを特徴とする請求項２乃至５のいずれかに記載の表示装置。
【請求項７】
スイング動作の際に、残像現象を利用して空間に画像を表示させる表示方法であって、
スイング速度に応じて、記憶部に記憶された画像の表示パターンに基づき複数の発光素子の点滅を制御することを特徴とする表示方法。
【発明の詳細な説明】
【技術分野】
【０００１】
本発明は、表示装置及び表示方法に関し、特に、残像現象を利用して、空間に文字や図形等の画像を表示する装置及び方法に関する。
【背景技術】
【０００２】
従来、一列に並べられた複数のＬＥＤ（Light Emitting Diode）が棒状部材等に設けられ、ユーザがスイング動作を行うことによって空間に文字や図形等の画像を表示させるスイング式の表示装置が知られている。このような表示装置には、通常、ＬＥＤを点灯又は消灯（以下、「点滅」とする）させるタイミングが予め設定され、ユーザがスイングした際に、予め設定された所定のタイミングでＬＥＤを点滅させることにより、図７に示すような画像を、残像現象を利用して空間に表示させることができる（例えば、特許文献１及び２を参照）。
【０００３】
上記ＬＥＤの点滅タイミングは、ユーザが所定の速度で表示装置をスイングすることを想定して設定され、想定した速度で表示装置をスイングした場合には、振り始めの地点からスイング動作が反転する振り戻しの地点までの間に形成される空間の中心付近に画像を表示することができる。
【先行技術文献】
【特許文献】
【０００４】
【特許文献１】特許第２５２４６７６号公報
【特許文献２】特許第４２５０６６７号公報
【発明の概要】
【発明が解決しようとする課題】
【０００５】
しかしながら、表示装置をスイングする速度は、使用するユーザや状況等によって異なることが考えられる。例えば、想定する速度よりも速い速度で表示装置をスイングさせた場合には、図８に示すように、表示される画像がスイング方向に間延びすると共に、振り戻し位置に偏ってしまう。
【０００６】
また、例えば、想定する速度よりも遅い速度で表示装置をスイングした場合には、図９に示すように、表示される画像がスイング方向に圧縮されると共に、振り始め位置に偏ってしまう。
【０００７】
このように、従来のスイング式表示装置では、想定した速度と異なる速度で表示装置をスイングすると、適切なタイミングでＬＥＤを点滅させることができないため、画像を適切に表示させることが困難であるという問題があった。
【０００８】
そこで、本発明は、上記従来の技術における問題点に鑑みてなされたものであって、スイング動作の速度に寄らず、画像を適切に表示させることが可能な表示装置及び表示方法を提供することを目的とする。
【課題を解決するための手段】
【０００９】
上記目的を達成するため、本発明は、スイング動作の際に、残像現象を利用して空間に画像を表示させる表示装置であって、複数の発光素子と、画像の表示パターンを記憶する記憶部と、前記表示パターンに基づき前記複数の発光素子の点滅を制御する制御部とを備え、前記制御部は、スイング速度に応じて前記複数の発光素子の点滅を制御することを特徴とする。
【００１０】
そして、本発明によれば、スイング速度に応じて発光素子の点滅を制御するため、スイング動作に応じて画像を適切に表示させることができる。
【００１１】
上記表示装置において、前記制御部は、スイング動作における振り始め位置から該振り始め位置に戻るまでの１サイクル時間に基づき前記スイング速度を判断することができる。これにより、スイング動作の１サイクル時間に応じて発光素子の点滅を制御でき、スイング動作に応じて画像を適切に表示させることができる。
【００１２】
上記表示装置において、前記制御部は、前記１サイクル時間を計測し、前記計測された１サイクル時間に基づき、前記複数の発光素子の点滅時間を算出し、前記算出された点滅時間で前記複数の発光素子を点滅させることができる。これにより、発光素子の点滅時間を適切に設定することができる。
【００１３】
上記表示装置において、前記制御部は、前記計測された１サイクル時間を前記記憶部に記憶させ、前記記憶部に記憶された前回の１サイクル時間に基づき、次回のスイング動作の際の前記複数の発光素子の点滅を制御することができる。これにより、連続するスイング動作によって表示される画像の表示精度を高めることができる。
【００１４】
上記表示装置において、前記筐体の位置を検出する検出部と、時間をカウントするタイマとをさらに備え、前記制御部は、前記スイング動作が反転した振り戻し動作の間に、前記検出部により検出された、前記筐体が垂直となる地点から前記タイマによるカウントを開始させ、前記タイマによるカウント値が前記１サイクル時間の１／４となる時間となった場合に、前記複数の発光素子の点滅を開始することができる。これにより、次のスイング動作において、発光素子の点滅開始時間を適切に設定することができる。
【００１５】
上記表示装置において、前記制御部は、前記振り始め位置から、前記スイング動作が反転する振り戻し開始位置に達するまでの間に、前記複数の表示素子の点滅を制御することができる。
【００１６】
また、本発明は、スイング動作の際に、残像現象を利用して空間に画像を表示させる表示方法であって、スイング速度に応じて、記憶部に記憶された画像の表示パターンに基づき複数の発光素子の点滅を制御することを特徴とする。本発明によれば、前記発明と同様に、スイング動作に応じて画像を適切に表示させることができる。
【発明の効果】
【００１７】
以上のように、本発明によれば、スイング動作の速度に寄らず、画像を適切に表示させることが可能になる。
【図面の簡単な説明】
【００１８】
【図１】本発明にかかる表示装置の一実施の形態を示す外観図であり、（ａ）は正面図、（ｂ）は（ａ）に示すＡ−Ａ間を矢印方向に見た断面図、（ｃ）は側面図である。
【図２】表示装置の機能構成の一例を示すブロック図である。
【図３】表示パターンについて説明するための略線図である。
【図４】１サイクル時間の計測について説明するための略線図である。
【図５】ＬＥＤの点滅について説明するための略線図である。
【図６】ＬＥＤの点滅動作の流れについて説明するためのフローチャートである。
【図７】従来のスイング式の表示装置によって表示される画像について説明するための略線図である。
【図８】スイング動作の速度が速い場合に表示される画像について説明するための略線図である。
【図９】スイング動作の速度が遅い場合に表示される画像について説明するための略線図である。
【発明を実施するための形態】
【００１９】
次に、本発明を実施するための形態について、図面を参照しながら詳細に説明する。図１は、本発明にかかる表示装置の一実施の形態を示し、表示装置１は、同図（ａ）に示すように、棒状等の筐体１０に、発光素子である複数のＬＥＤ２、２、・・・と、各種操作を行うスイッチ３とが設けられる。
【００２０】
筐体１０は、上部側の発光部１０ａと、下部側の把持部１０ｂとで構成される。発光部１０ａは、ＬＥＤ２、２、・・・が配置される部分であり、例えば、ＬＥＤ２、２、・・・の周囲が透明の部材で形成されると共に、発光部１０ａ全体が半透明の部材で形成される。また、把持部１０ｂは、ユーザがこの表示装置１を把持するための部分であり、例えば白色の部材で形成される。把持部１０ｂには、スイッチ３（３ａ〜３ｄ）が配置される。
【００２１】
ＬＥＤ２、２、・・・は、例えば２４個又は３２個のＬＥＤが筐体１０の長手方向に沿うように１列に並べられ、図１（ｂ）及び（ｃ）に示すように、筐体１０から露出するようにして発光部１０ａに配置される。発光部１０ａにおけるＬＥＤ２、２、・・・の周囲が透明の部材で形成されると共に、ＬＥＤ２、２、・・・が露出するようにして配置されることにより、ＬＥＤ２、２、・・・を点灯させた際の光を外部に効率的に照射できるようにされている。
【００２２】
スイッチ３は、ユーザが操作するための操作子であり、ユーザが表示装置１を把持した状態で操作できるように配置されている。スイッチ３としては、例えば、電源スイッチ３ａ、発光パターン選択スイッチ３ｂ、バックライト選択スイッチ３ｃ及び表示パターン選択スイッチ３ｄが設けられる。
【００２３】
電源スイッチ３ａは、電源のＯＮ／ＯＦＦを行うためのスイッチであり、例えば、筐体１０の長手方向を軸とした回転式のスイッチである。この電源スイッチ３ａを所定の角度だけ回転させることにより、電源のＯＮ及びＯＦＦが繰り返される。
【００２４】
発光パターン選択スイッチ３ｂは、ＬＥＤ２、２、・・・及び後述するバックライト６の発光を選択するためのスイッチである。例えば、電源スイッチ３ａを操作して表示装置１の電源がＯＮとされた場合には、ＬＥＤ２、２、・・・が発光状態となっており、この発光パターン選択スイッチ３ｂを１回操作すると、ＬＥＤ２、２、・・・が消灯すると共にバックライト６が点灯する。また、発光パターン選択スイッチ３ｂをさらにもう１回操作すると、ＬＥＤ２、２、・・・が点灯し、ＬＥＤ２、２、・・・及びバックライト６の両方が同時に点灯する。バックライト選択スイッチ３ｃは、バックライト６の発光や点滅、発光する色等、バックライト６の種類を選択することができる。
【００２５】
表示パターン選択スイッチ３ｄは、表示パターンを選択するためのスイッチであり、表示装置１に予め設定された複数の表示パターンの中から所定の表示パターンを選択することができる。例えば、表示パターン選択スイッチ３ｄを操作することにより、複数の表示パターンから表示パターン＃１、表示パターン＃２、・・・というように、所定の表示パターンが順次選択される。ここで、選択された表示パターンは、例えば、ＬＥＤ２、２、・・・を用いて表示するようにしてもよい。具体的には、例えば、表示パターン＃１が選択された場合には、ＬＥＤ２、２、・・・のうち一番上のＬＥＤを点灯させ、表示パターン＃２が選択された場合には、２番目のＬＥＤを点灯させる。
【００２６】
また、表示装置１の筐体１０内には、図１（ｃ）に示すように、回路基板４、センサ５及びバックライト６が設けられる。回路基板４は、ＬＥＤ２、２、・・・や回路を構成する各種素子が搭載されると共に、センサ５やバックライト６、各種スイッチ３等が接続される。センサ５は、例えば発光部１０ａ内の上部側に設けられ、表示装置１のスイング動作を検出するための素子である。バックライト６は、バックライト選択スイッチ３ｃに対する操作に基づき発光する。発光部１０ａが半透明の部材で形成されているため、このバックライト６を発光させた際には、発光部１０ａ全体が発光する。
【００２７】
図２は、表示装置１の機能構成の一例を示すブロック図である。同図に示すように、表示装置１は、大別して、動作検出部１１、操作部１２、記憶部１３、制御部１４及び表示部１５で構成される。
【００２８】
動作検出部１１は、スイング動作による表示装置１の位置や、表示装置１の振り始め動作、スイング動作が反転する振り戻し動作等を検出し、検出結果を示す動作情報を制御部１４に供給する。動作検出部１１としては、例えば加速度センサ（図１のセンサ５）を用いることができる。
【００２９】
操作部１２は、表示装置１の筐体に設けられた各種キーやボタン等の操作子からなり、ユーザの操作に応じた操作子情報を出力し、制御部１４に供給する。操作部１２としては、例えば、図１に示す電源スイッチ３ａ、発光パターン選択スイッチ３ｂ、バックライト選択スイッチ３ｃ及び表示パターン選択スイッチ３ｄを用いることができる。
【００３０】
記憶部１３は、例えばメモリからなり、表示部１５によって表示される画像の表示パターンを示す１つ又は複数の表示パターンデータが予め記憶される。記憶部１３は、制御部１４からの要求に応じて、記憶された表示パターンデータから所定の表示パターンデータを読み出し、制御部１４に供給する。
【００３１】
記憶部１３に記憶される表示パターンデータは、図３に示すように、行及び列方向に並べられたドットで表現される。表示パターンは、空間に表示させる画像が設定された表示領域２１と、この表示領域２１の前後に設けられ、空間に画像を適切に表示させるためのマージンである非表示領域２２ａ及び２２ｂとで構成される。
【００３２】
非表示領域２２ａ及び２２ｂを設けるのは、表示装置１をスイングさせた際に、スイングの速度によっては、スイング動作における振り始め直後や、スイング動作が反転する振り戻しの直前で画像が潰れてしまう等、画像を適切に表示できなくなるのを防ぐためである。
【００３３】
表示パターンにおける行方向のドットは、図１に示す一列に並べられた複数のＬＥＤ２、２、・・・の各ＬＥＤに対応し、各々のＬＥＤの点滅状態を示す。行方向のドット数は、ＬＥＤ２、２、・・・と同数であり、例えば、２４ドット又は３２ドットである。
【００３４】
表示パターンにおける列方向のドットは、所定の時間における各ＬＥＤの点滅状態を示す。列方向のドット数は、例えば、表示領域２１が１２８ドットであり、非表示領域２２ａ及び２２ｂが各々１５ドットである。
【００３５】
このように設定された表示パターンに基づき、各列毎に所定の時間でＬＥＤを順次点滅させることにより、表示パターンの表示領域２１に設定された画像を空間に表示することができる。
【００３６】
説明は図１に戻り、制御部１４は、図示しないＲＯＭ(Read Only Memory)に予め格納されたプログラムに従い、ＲＡＭ（Random Access Memory）をワークメモリとして各部を制御する。制御部１４は、操作部１２から供給された操作子情報に基づき、選択された表示パターンに対応する表示パターンデータを記憶部１３から読み出す。また、制御部１４は、動作検出部１１から供給された動作情報に基づき、表示装置１のスイング動作における振り始め位置から表示装置１が振り始め位置に戻るまでの１サイクルの時間を計測する。そして、計測された１サイクル時間に基づきＬＥＤ２、２、・・・の点滅時間を算出し、読み出した表示パターンデータに従い、算出した点滅時間で、表示部１５におけるＬＥＤ２、２、・・・の点滅を制御する。
【００３７】
また、制御部１４は、図示しないタイマを有する。制御部１４は、計測された１サイクル時間に基づき、１サイクル時間の１／４の時間である１／４サイクル時間を算出し、所定のタイミングでタイマによるカウントを開始する。そして、タイマのカウント値が算出された１／４サイクル時間となった際に、ＬＥＤ２、２、・・・の点滅を開始させる。尚、この１／４サイクル時間によるＬＥＤ２、２、・・・の点滅開始の詳細については、後述する。
【００３８】
尚、制御部１４は、初期値としての１サイクル時間を記憶部１３等に予め記憶しておき、表示装置１の電源が初めてＯＮとされた場合には、この初期値である１サイクル時間に基づくＬＥＤの点滅時間に従って、ＬＥＤ２、２、・・・の点滅時間を制御する。そして、スイング動作を行うことによって１サイクル時間が計測された際には、この１サイクル時間を更新して記憶し、次回のスイング動作が行われる際に、記憶された１サイクル時間に基づいてＬＥＤ２、２、・・・の点滅を制御する。
【００３９】
表示部１５は、例えば、一列に並べられた複数のＬＥＤ２、２、・・・からなり、制御部１４の制御に基づきＬＥＤ２、２、・・・の点滅を行う。表示部１５は、表示装置１をスイングさせた状態でＬＥＤ２、２、・・・を点滅させるため、残像現象を利用することにより、表示パターンに基づく画像を空間に表示する。
【００４０】
次に、上記構成を有する表示装置１の動作について説明する。本実施の形態による表示装置１は、振り始めからスイング動作が反転する振り戻し動作までの間に、設定された表示パターンに基づいてＬＥＤ２、２、・・・を点滅させることにより、残像現象を利用して、表示パターンに基づく画像を空間に表示させる。
【００４１】
このとき、表示装置１は、この表示装置１のスイング速度に応じてＬＥＤ２、２、・・・を点滅させることにより、空間に画像を適切に表示する。スイング速度は、例えば、振り始め位置からスイング動作が反転する振り戻し位置を経由し、表示装置１が振り始め位置に戻るまでの時間である１サイクル時間から判断することができる。
【００４２】
すなわち、表示装置１は、１サイクル時間に基づきＬＥＤ２、２、・・・の点滅時間を算出し、算出した点滅時間でＬＥＤ２、２、・・・を点滅させることにより、空間に画像を適切に表示する。
【００４３】
このようにＬＥＤ２、２、・・・を点滅させるために、まず、表示装置１の制御部１４は、１サイクル時間を計測する。１サイクル時間は、表示装置１の位置に基づき計測することができる。ここでは、図４に示すように、表示装置１が垂直となる地点を「Ｇ０」、振り始めの地点を「Ｇ＋」、スイング動作が反転する振り戻し開始地点を「Ｇ−」とし、地点「Ｇ０」から地点「Ｇ＋」及び地点「Ｇ−」に達するまでの時間が同等であると共に、地点「Ｇ＋」から地点「Ｇ−」に達するまでの時間と、地点「Ｇ−」から地点「Ｇ＋」に達するまでの時間とが同等である場合の１サイクル時間について考える。
【００４４】
この場合、１サイクル時間は、表示装置１が垂直となる地点「Ｇ０」を起点とし、地点「Ｇ０」から地点「Ｇ−」に達するまでの時間Ｔ１と、地点「Ｇ−」から地点「Ｇ０」に戻るまでの時間Ｔ２と、地点「Ｇ０」から地点「Ｇ＋」に達するまでの時間Ｔ３と、地点「Ｇ＋」から地点「Ｇ０」に戻るまでの時間Ｔ４とを合計した時間「Ｔ１＋Ｔ２＋Ｔ３＋Ｔ４」となる。
【００４５】
制御部１４は、動作検出部１１からの動作情報に基づき、地点「Ｇ＋」において１回目のスイング動作が開始され、最初に表示装置１が垂直となる地点「Ｇ０」が検出されると、１サイクル時間の計測を開始する。そして、制御部１４は、地点「Ｇ−」を通過してスイング動作が反転して振り戻し動作となり、地点「Ｇ０」を経由して１回のスイング動作が終了する地点「Ｇ＋」を通過し、２回目のスイング動作が開始され、再度、地点「Ｇ０」に到達した時点で、１サイクル時間の計測を終了する。このように、この例における１サイクル時間は、地点「Ｇ０」から計測を開始し、地点「Ｇ０」を２回検出するまでの時間となる。
【００４６】
次に、制御部１４は、計測された１サイクルの時間に基づき、ＬＥＤ２、２、・・・の点滅時間を算出する。ＬＥＤ２、２、・・・は、図５に示すように、振り始めの地点「Ｇ＋」からスイング動作が反転する振り戻し動作の開始地点「Ｇ−」までの間に点滅されるため、ＬＥＤ２、２、・・・の点滅時間は、式（１）に基づき算出することができる。
点滅時間＝１サイクル時間／表示パターンにおける列方向のドット数／２
・・・（１）
【００４７】
従って、図３に示すような表示パターンにおける列方向のドット数を、表示領域１２８ドット、表示領域前後の非表示領域１５ドットとすると、１ドット当たりのＬＥＤ２、２、・・・の点滅時間は、式（１）に基づき、以下のようになる。
点滅時間＝（Ｔ１＋Ｔ２＋Ｔ３＋Ｔ４）／（１２８＋１５×２）／２
【００４８】
このようにして算出されたＬＥＤ２、２、・・・の点滅時間に基づき、表示パターンに従ってＬＥＤ２、２、・・・を点滅させる。これにより、表示装置１が地点「Ｇ＋」から地点「Ｇ−」に達するまでの間にＬＥＤ２、２、・・・が点滅し、残像現象を利用した画像の表示が可能となる。
【００４９】
ここで、ＬＥＤ２、２、・・・は、スイング動作が開始される地点「Ｇ＋」から点滅が開始される。このＬＥＤ２、２、・・・の点滅が開始される時間は、振り戻し動作中に地点「Ｇ０」を通過してから時間Ｔ３だけ経過したときである。従って、１サイクル時間の計測が開始され、振り戻し動作中に地点「Ｇ０」が検出されてから時間Ｔ３、すなわち１サイクル時間の１／４（以下、１／４サイクル時間とする）だけ経過した時点で、ＬＥＤ２、２、・・・の点滅が開始される。
【００５０】
次に、図６のフローチャートを参照して、ＬＥＤ２、２、・・・の点滅動作の流れについて説明する。図６に示す処理に先立ち、ユーザが図１に示す電源スイッチ３ａを操作して電源がＯＮとされ、表示パターン選択スイッチ３ｄを操作することにより表示パターンが選択される。
【００５１】
表示パターンが選択された状態で、図４に示す地点「Ｇ＋」から１振り目のスイング動作が開始されると、予め記憶された１サイクル時間に基づくＬＥＤの点滅時間に従って、ＬＥＤ２、２、・・・の点滅が開始される（ステップＳ１）。表示装置１が垂直となる地点「Ｇ０」を通過すると、制御部１４による１サイクル時間の計測が開始される（ステップＳ２）。
【００５２】
そして、スイング動作が反転する（振り戻し動作）地点「Ｇ−」を通過し（ステップＳ３）、振り戻し動作中に地点「Ｇ０」を通過すると、タイマにより１／４サイクル時間のカウントが開始される（ステップＳ４）。ここでは、ステップＳ２における１サイクル時間の計測が終了していないため、予め記憶された１サイクル時間に基づいて算出された１／４サイクル時間のカウントを行う。
【００５３】
次に、１振り目のスイング動作が終了する地点「Ｇ＋」を通過すると、２振り目のスイング動作が開始されると同時に、タイマによるカウント値が１／４サイクル時間となるため、ＬＥＤ２、２、・・・の点滅が開始される（ステップＳ５）。尚、２振り目のスイング動作が開始される時点では、ステップＳ２における１サイクル時間の計測が終了していないため、予め記憶された１サイクル時間に基づくＬＥＤの点滅時間に従って、ＬＥＤ２、２、・・・が点滅する。
【００５４】
次に、地点「Ｇ０」を通過すると、制御部１４による１サイクル時間の計測が終了され、計測された１サイクル時間に基づき、ＬＥＤの点滅時間が算出されると共に、１／４サイクル時間が算出される。また、この時点において、１サイクル時間の計測が再度開始される（ステップＳ６）。
【００５５】
そして、地点「Ｇ−」を通過し（ステップＳ７）、振り戻し動作中に地点「Ｇ０」を通過すると、タイマにより、ステップＳ６で算出された１／４サイクル時間のカウントが開始され（ステップＳ８）、処理がステップＳ５に戻る。
【００５６】
ステップＳ５において、２振り目のスイング動作が終了する地点「Ｇ＋」を通過すると、３振り目のスイング動作が開始されると同時に、タイマによるカウント値が１／４サイクル時間となるため、ＬＥＤ２、２、・・・の点滅が開始される。このとき、ステップＳ２からステップＳ６までの処理により、直前のスイング動作による１サイクル時間が計測されているため、ＬＥＤ２、２、・・・は、算出されたＬＥＤの点滅時間に従って点滅が制御される。
【００５７】
以下、３振り目以降のスイング動作が継続されている間は、ステップＳ５からステップＳ８までの処理が巡回的に繰り返される。
【００５８】
このように、３振り目以降は、直前のスイング動作に基づく１サイクル時間から算出されたＬＥＤの点滅時間に従ってＬＥＤ２、２、・・・が点滅するため、空間に対して画像を適切に表示させることができる。
【００５９】
以上のように、本実施の形態によれば、スイング動作の１サイクル時間を計測し、計測された１サイクル時間に基づきＬＥＤの点滅時間を算出し、算出された点滅時間に従ってＬＥＤを点滅させるため、空間に対して適切に画像を表示させることができる。
【００６０】
また、算出された１サイクル時間に基づくＬＥＤの点滅時間を、次のスイング動作の際のＬＥＤの点滅時間とするため、連続するスイング動作によって表示される画像の表示精度を高めることができる。
【００６１】
以上、本発明の一実施の形態について説明したが、本発明は、上記構成に限定されるものではなく、特許請求の範囲に記載された発明の範囲内で種々の変更が可能である。例えば、表示装置１の位置を検出するセンサとしては、加速度センサに限られず、位置を検出できるセンサであれば、いずれのものを適用することができる。
【符号の説明】
【００６２】
１  表示装置
２、２、・・・  ＬＥＤ
３  スイッチ
３ａ  電源スイッチ
３ｂ  発光パターン選択スイッチ
３ｃ  バックライト選択スイッチ
３ｄ  表示パターン選択スイッチ
４  回路基板
５  センサ
６  バックライト
１０  筐体
１０ａ  発光部
１０ｂ  把持部
１１  動作検出部
１２  操作部
１３  記憶部
１４  制御部
１５  表示部
２１  表示領域
２２（２２ａ、２２ｂ）  非表示領域
【図１】
2012163807.tif 000003
【図２】
2012163807.tif 000004
【図３】
2012163807.tif 000005
【図４】
2012163807.tif 000006
【図５】
2012163807.tif 000007
【図６】
2012163807.tif 000008
【図７】
2012163807.tif 000009
【図８】
2012163807.tif 000010
【図９】
2012163807.tif 000011